(57)【要約】【課題】建物の外壁等に形成される直径十〜十数ｃｍ程度の貫通孔の開口縁部を容易且つ均質に面取り形成することができる面取り工具を提供する。【解決手段】本願発明に係る面取り工具１は、ベース２に削剥部３を突設し、削剥部３を被孔形成体の円形孔の開口縁部に当接させた状態で削剥部３に回転力を付与することにより開口縁部を面取り形成するものであって、削剥部３は、開口縁部に当接して開口縁部を削剥する削剥面３３を備え、削剥面３３は、ベース２に対向して設けられて且つ円形孔と同径である仮想円Ｑの円周上又はその近傍に先端部を有すると共に先端部から仮想円Ｑの径外方向に向けて徐々にベース２に近接する傾斜状に形成されており、ベース２は、手動により削剥部３に仮想円Ｑの中心廻りの回転力を付与する把持部４を備えている。【選択図】 図１
2009136970.tif 000002
【特許請求の範囲】
【請求項１】
ベースに削剥部を突設して形成され、該削剥部を被孔形成体に形成されている円形孔の開口縁部に当接させた状態で該ベースを介して削剥部に回転力を付与することにより、該開口縁部を面取り形成する面取り工具であって、
前記削剥部は、前記開口縁部に当接して当該開口縁部を削剥する削剥面を備え、該削剥面は、前記ベースに対向して設けられて且つ前記円形孔と同径である仮想円の円周上又はその近傍に先端部を有すると共に該先端部から当該仮想円の径外方向に向けて徐々にベースに近接する傾斜状に形成されており、
前記ベースは、手動により前記削剥部に前記仮想円の中心廻りの回転力を付与する把持部を備えている
ことを特徴とする面取り工具。
【請求項２】
前記削剥部は、前記仮想円の径内側から径外側に向けて延設される複数の削剥片を備え、各削剥片に前記削剥面がそれぞれ形成されていることを特徴とする請求項１に記載の面取り工具。
【請求項３】
前記削剥部は、前記複数の削剥片を連結する円周壁を備え、該円周壁の内径は前記仮想円と同一であることを特徴とする請求項２に記載の面取り工具。
【請求項４】
前記削剥部の前記ベースからの突出高さは、前記円形孔の開口縁部に形成される面取りの深さと同一であることを特徴とする請求項１乃至請求項３のいずれかに記載の面取り工具。
【請求項５】
前記把持部は、前記仮想円の中心を介して対称となる位置に一対の取っ手を備えていることを特徴とする請求項１乃至請求項４のいずれかに記載の面取り工具。
【発明の詳細な説明】
【技術分野】
【０００１】
本発明は、建築物の外壁に形成される貫通孔等の開口縁部を面取りする面取り工具に関するものである。
【背景技術】
【０００２】
従来から、換気や配管等の目的で建築物の外壁や外壁となるパネルに貫通孔を形成し、該貫通孔にスリーブを嵌合し、該貫通孔とスリーブとの間にシーリング材を充填することが行われている。
この種の施工においては、シーリング材によるシール性の信頼性を向上させるべく、貫通孔の開口縁部を面取りすることでシーリング材を充填するための空間（シーリングポケットとも言う）を設け、該空間にシーリング材を充填することが有効であるが、該開口縁部の面取りは、作業者がカッターナイフ等を用いて少しずつ開口縁部を切削する等の施工がなされており、きわめて危険な作業であるばかりでなく、作業に熟練を要すると言う問題がある。のみならず、かかる施工によるシーリングポケットの仕上がりをいずれの貫通孔においても均一なものとすることが困難であり、所望のシール性を発揮させることができない虞があるという問題も生じていた。
【０００３】
ところで、金属板の加工を行う技術分野においては、金属板を工作機械等により切断加工すると、切断面の端部にバリを発生させてしまう場合が多く、該バリを除去すると同時に該端部を面取りして滑らかなものとするバリ取り工具が開発されている（例えば特許文献１又は特許文献２を参照）。該バリ取り工具は、モータにより円錐状に形成されたブラシ状体を高速回転させ、該高速回転状態のブラシ状体を切断面に押し付けることにより、該切断面のバリ取り及び面取り形成がなされる。
【０００４】
かかるバリ取り工具によれば、ブラシ状体を当該ブラシ状体の直径よりも小さい貫通孔に挿入した状態で高速回転させることにより、当該貫通孔の開口縁部を面取り形成することが可能であり、当該バリ取り工具を上記外壁に形成される貫通孔の面取り作業に用いることが考えられる。
【特許文献１】特開平０８−３５４３８６号公報
【特許文献２】特開２０００−２３３３５０号公報
【発明の開示】
【発明が解決しようとする課題】
【０００５】
しかしながら、特許文献１又は特許文献２のバリ取り工具のブラシ状体の直径は数ｍｍ〜数ｃｍ程度のものである一方、建物の外壁等の貫通孔は直径が十〜十数ｃｍの大きさを有するものであり、当該バリ取り工具を外壁等の貫通孔の面取りにそのまま採用することができない問題がある。また、当該貫通孔の直径に併せてブラシ状体を形成すると、当該ブラシ状体を高速回転させるためのモータも大きなものとなり、これによって工具全体が大型化して作業を容易に行うことが困難となる問題があった。
そこで、本発明は、建物の外壁等に形成される直径十〜十数ｃｍ程度の貫通孔の開口縁部を容易且つ均質に面取り形成することができる面取り工具を提供することを目的とする。
【課題を解決するための手段】
【０００６】
上記課題解決のための具体的手段として、本願発明に係る面取り工具は、
ベースに削剥部を突設して形成され、該削剥部を被孔形成体に形成されている円形孔の開口縁部に当接させた状態で該ベースを介して削剥部に回転力を付与することにより、該開口縁部を面取り形成する面取り工具であって、
前記削剥部は、前記開口縁部に当接して当該開口縁部を削剥する削剥面を備え、該削剥面は、前記ベースに対向して設けられて且つ前記円形孔と同径である仮想円の円周上又はその近傍に先端部を有すると共に該先端部から当該仮想円の径外方向に向けて徐々にベースに近接する傾斜状に形成されており、
前記ベースは、手動により前記削剥部に前記仮想円の中心廻りの回転力を付与する把持部を備えていることを特徴としている。
【０００７】
本願発明に係る面取り工具においては、削剥部の削剥面がベースに対向して設けられる上述の如き仮想円の円周上又はその近傍に先端部を有すると共に該先端部から当該仮想円の径外方向に向けて徐々にベースに近接する傾斜状に形成されているので、削剥部（削剥面）の先端部を被孔形成体の円形孔に嵌合させることにより、該削剥部の削剥面が当該円形孔の開口縁部に当接する。
また、手動により把持部を把持して削剥部に回転力を付与することができるので、上述の如く円形孔の開口縁部に削剥部の削剥面を当接させた状態で把持部によりベースを介して削剥部に回転力を付与することにより、削剥部の削剥面が円形孔の開口縁部に擦りつけられ、この擦れ合いによって開口縁部が削り取られ、これによって該開口縁部を面取り形成することができる。
【０００８】
したがって、本願発明によれば、手動操作により被切削物の開口縁部に面取り形成を施すことができることとなるのである。また、削剥部を回転させることにより、円形孔の開口縁部の全周に亘って等しく削剥部を擦り付けることができるので、これによって開口縁部全周の面取り形状を均一なものとすることができる。
なお、被孔形成体とは、本願発明の面取り工具の削剥部よりも硬度及び塑性変形能が著しく小さい材料により形成されており、例えば、面取り工具が鉄やステンレス等の金属製であるのに対し、被孔形成体は軽量気泡コンクリート（ＡＬＣ）やプレキャストコンクリートにより形成されている。
【０００９】
また、前記削剥部は、前記仮想円の径内側から径外側に向けて延設される複数の削剥片を備え、各削剥片に前記削剥面がそれぞれ形成されていることが好ましい。
これにより、各削剥片の削剥面が開口縁部を削り取ることとなって、少ない回転によっても効率よく面取り形成を行うことができる。また、各削剥面の間から削り粉が落下することとなり、これによって該削り粉が削剥面と開口縁部の間に介在して該削剥面による削剥を阻害する虞は低減されることとなる。
また、前記削剥部は、前記複数の削剥片を連結する円周壁を備え、該円周壁の内径は前記仮想円と同一であることが好ましい。
【００１０】
開口縁部に当接させた状態で回転力を付与することにより、各削剥片は、回転方向に過大なせん断力を受けることとなるが、上述の如く円周壁により各削剥片を連結することにより削剥片が補強され、これによって当該せん断力に対する抵抗力を各切削片に具備することができる。
また、前記削剥部の前記ベースからの突出高さは、前記円形孔の開口縁部に形成される面取りの深さと同一であることが好ましい。
これにより、ベースが被孔形成体に当接する状態まで開口縁部の面取りが進行すると、所定の面取り形成が完了したこととなり、それ以上の開口縁部の削れを防止して必要以上に面取りを進行させてしまうことを防止することができる。
【００１１】
さらに、前記把持部は、前記仮想円の中心を介して対称となる位置に一対の取っ手を備えているすることが好ましい。
これによれば、削剥部を円形孔に嵌め込んだ状態で一対の取っ手を把持して回転させることにより、該削剥部及びベースを当該仮想円、即ち円形孔の中心廻りに回転させることができる。特に、一対の取っ手が仮想円を中心として対称となる位置に配備されているので、当該回転をバランスよく行うことができるのである。
また、当該一対の把持部を介して削剥部の削剥面を円形孔の開口縁部に対して押圧することとなるが、該削剥面のいずれの部分にも等しく押圧力を付与することができる。
【００１２】
この結果、削剥部のいずれの部分にも等しく押圧力を付与した状態で該切削部に円形孔廻りの回転力を付与することができ、円形孔の開口縁部のいずれの部分であっても面取り形状を均質に維持することができる。
【発明の効果】
【００１３】
本発明の面取り工具によれば、建物の外壁等に形成される直径十〜十数ｃｍ程度の貫通孔の開口縁部を容易且つ均質に面取り形成することができる
【発明を実施するための最良の形態】
【００１４】
以下、図１〜図９に基づき、本発明を実施の形態につき、詳細に説明する。
図１〜図３に示す如く、本発明に係る面取り工具１は、被孔形成体となる軽量気泡コンクリート製の外壁パネルＷ（図４参照）に開設された円形状の貫通孔Ｈ（円形孔）の開口縁部Ｅを面取り形成するものであって、ベース２と、該ベース２に突設された削剥部３及び把持部４とを備えている。
図１に示す如く、ベース２は、平坦な金属板を正方形状に加工して形成されており、当該ベース２の外形は、少なくとも外壁パネルＷの貫通孔Ｈの内周円と同径の仮想円Ｑよりも大きいものとされている。
【００１５】
削剥部３は、一方の面に突設されており、複数枚（本実施の形態においては８枚）の削剥片３１と、該複数枚の削剥片３１を連結する円周壁３２とを備えている。
円周壁３２は、金属製の帯を前記仮想円Ｑと同一の内径を有する環状に形成してベース２の一方の面に溶接接合されている。また、該円周壁３２の外周面に複数枚の削剥片３１が放射状に取り付けられている。
図２及び図３に示す如く、各削剥片３１は、円周壁３２と同程度の厚さを有する金属板を直角三角形状に加工して形成されており、互いに直角となる一対の小口面のうち、一方がベース２に溶接接合されると共に他方が円周壁３２に溶接接合されている。これにより、各削剥片３１は、仮想円Ｑ近傍に先端部を有し、該先端部から仮想円Ｑの径外方向に向けて徐々にベース２の一方の面に近接する傾斜面を有することとなり、該傾斜面が外壁パネルＷの貫通孔Ｈの開口縁部Ｅに当接して該開口縁部Ｅを削剥する削剥面３３となる。
【００１６】
また、円周壁３２の上端部と各削剥片３１の先端部は、ベース２の一方の面からの突出高さが同一である。即ち、ベース２の一方の面からの削剥部３の突出高さは、貫通孔Ｈの面取りの深さと同一となるのである。
また、ベース２の他方の面には、手動により削剥部３に前記仮想円Ｑの中心廻りの回転力を付与するための把持部４が設けられている。
該把持部４は、前記仮想円Ｑの中心を介して対称となる位置に一対の取っ手４１を備えている。各取っ手４１は、金属棒をコ字状に屈曲させて形成されており、持ち手部４２の両端部にそれぞれ持ち手部４２とベース２とを連結する連結部４３を備えて形成されている。また、これら一対の取っ手４１は、持ち手部４２の軸心をベース２の側面に平行とした状態で可及的互いに離間した状態で該ベース２に取り付けられている。
【００１７】
本発明の面取り工具１は以上の構成からなるものであって、次に、外壁パネルＷに貫通孔Ｈを設けて該外壁パネルＷの外壁面側に図９に示すウェザーカバー８８を配備するに際し、上述の如き面取り工具１を用いて外壁パネルＷの貫通孔Ｈの開口縁部Ｅを面取り形成する方法について、図４〜図９に基づいて説明する。
図４（ａ）（ｂ）に示す如く、まず、外壁パネルＷの所定位置に円形の貫通孔Ｈを形成し、該貫通孔Ｈに当該貫通孔Ｈと同径の外径を有する円筒状のスリーブＳを嵌装する。
そして、図５（ａ）（ｂ）に示す如く、貫通孔Ｈの一対の開口縁部Ｅのうち、外壁面側となる開口縁部Ｅを面取り形成すべく、外壁面側となる開口縁部Ｅに面取り工具１を配備する。
【００１８】
ここで、面取り工具１の削剥部３の円周壁３２は、その内径が貫通孔Ｈと同径であるため、面取り工具１を貫通孔Ｈに向けて配備し、取り付けると、該面取り工具１の円周壁３２内にスリーブＳの端部がその外周面を円周壁３２の内周面に隙間なく当接させた状態で嵌り込むこととなる（図６（ａ）参照）。また、この様に面取り工具１の削剥部３の円周壁３２内にスリーブＳが嵌り込むことにより、円周壁３２の内周円の中心、即ち仮想円Ｑの中心が外壁パネルＷの貫通孔Ｈの軸心上に位置する。
また、この様に削剥部３を貫通孔Ｈに対向させた状態で面取り工具１を配備することにより、把持部４が外壁パネルＷの外壁面と同じ方向を向くこととなって作業者Ｔと対向する。
【００１９】
その後、図６（ａ）に示す如く、作業者Ｔが把持部４の一対の取っ手４１の持ち手部４２をそれぞれ手に持つ。このとき、該持ち手部４２を介してベース２を外壁パネルＷに押し付けるように荷重を付与することにより、削剥部３の各削剥片３１の削剥面３３が貫通孔Ｈの開口縁部Ｅに押圧されることとなる。そして、この状態で一対の取っ手４１を相対的に上下動させる。ここで、上述の如く円周壁３２にスリーブＳが嵌り込んでいるため、取っ手４１の上下動はこれら円周壁３２とスリーブＳとの嵌合により円運動に変換されることとなり、これによって面取り工具１は、図６（ｂ）に示す如く貫通孔Ｈの軸心を中心として左右に揺動する。
【００２０】
このとき、削剥部３の各削剥片３１の削剥面３３は、所定の押圧力により開口縁部Ｅに押し付けられることとなるので、削剥面３３は開口縁部Ｅにこすりつけられることとなり、該擦り付けによって該開口縁部Ｅは削剥される（削り取られる）こととなる。
また、該削剥により削り粉が発生することとなるが、該削り粉は、隣り合う削剥片３１と円周壁３２とにより形成される空間Ｐ（図１等参照）に落下・貯留することとなり、該削り粉が削剥面３３と開口縁部Ｅの接触面に溜まりこんで該削剥面３３による開口縁部Ｅの削剥を阻害するものとはならない。
【００２１】
また、上記押圧力を付与していることにより、当該剥索は徐々に貫通孔Ｈの奥方に進行していくこととなるが、削剥面３３が擦り付けられる部分のみが削り取られていくので、開口縁部Ｅは、剥面に沿って傾斜状に削り取られていく。また、各削剥片３１が放射状に設けられているので、削剥部３が揺動することにより、各削剥部３はそれぞれの削剥領域を削剥しつつもその領域端部を互いにオーバラップさせつつ削剥が進行するので、開口縁部Ｅのいずれの位置であっても同様に削剥が進行することとなり、これによって、面取り形成が開口縁部Ｅの全周に亘って均一に進行する。
【００２２】
そして、上述の如く削剥（面取り）が貫通孔Ｈの奥方へ進行すると、図６（ｃ）に示す如くベース２の一方の面と外壁パネルＷの外面とが徐々に近接することとなり、ついには該外壁パネルＷの外面にベース２の一方の面が当接する。そうすると、その後の削剥の進行は、ベース２と外壁パネルＷとの当接により妨げられることとなり、面取り工具１は定位置で揺動する。当該定位置での揺動が空回り状態となるまで面取り工具１を揺動させる作業を続けた後、当該作業を終了し、面取り工具１を外壁パネルＷから取り外す。
【００２３】
そうすると、図７（ａ）（ｂ）に示す如く、貫通孔Ｈの開口縁部Ｅが均質に面取り形成され、これによってスリーブＳの端部の外方に当該開口縁部Ｅの面取り形成による空間（シーリングポケット）が形成されることとなる。
その後、図８（ａ）（ｂ）に示す如く、当該空間にシーリング材Ｃを充填した後、図９（ａ）（ｂ）に示す如く該外壁パネルＷに上記外壁面側からウェザーカバー８を取り付ける。
【００２４】
なお、ウェザーカバー８は、貫通孔Ｈの開口縁部Ｅ及びその周囲を覆うカバー体８１と、該カバー体８１に取り付けられる筒体８２とを備えている。該カバー体８１は、貫通孔Ｈの内径と同一の直径を有する開口部８３を備え、筒体８２は、貫通孔Ｈの内径と同一の外径を有する円筒部８４と、該円筒部８４の一方の端部から伸びる鍔部８５とを備え、円筒部８４の軸心をカバー体８１の開口部８３の中心に一致させた状態で鍔部８５がカバー体８１の裏面に連結されている。
【００２５】
該ウェザーカバー８を取り付ける際には、該ウェザーカバー８のカバー体を外壁パネルＷに向けて押し付けることにより、これら外壁パネルＷとウェザーカバー８間のシーリング材Ｃが圧縮力を受けて伸び、隙間に入り込んでこれらウェザーカバー８と外壁パネルＷの間の空間を埋め、これによってウェザーカバー８と外壁パネルＷ及びスリーブＳの間にシーリング材Ｃが隙間なく充填されることとなるのである。この結果、ウェザーカバー８と外壁パネルＷの間のシール性は当該シーリング材Ｃにより十分に確保されることとなるのである。
【００２６】
本実施形態の面取り工具１によれば、外壁パネルＷの貫通孔Ｈに面取り工具１を取り付け、該面取り工具１を手動により揺動させるという容易な作業により、該貫通孔Ｈの開口縁部Ｅを全周にわたって均質に面取り形成されることとなり、当該開口縁部Ｅにシーリング材Ｃを全周に亘って均質に充填可能となり、これによって当該シーリング材Ｃによるシール性の向上が図られることとなる。
【００２７】
以上、本発明の面取り工具１の実施形態について詳述したが、本発明は上記実施形態にのみ限定されるものではない。
例えば、削剥面３３の形状は、図１０（ａ）に示す如く凹円弧状に形成することも可能であり、図１０（ｂ）、に示す如く傾斜の異なる複数（当該図においては２つ）の傾斜面を組み合わせることにより形成することも可能である。
また、削剥片３１は、図１１に示す如く、円弧方向に所定の厚さを有して形成することも可能であり、この場合、各削剥片３１の削剥面３３の表面を荒らして鑢状に形成することも可能である。また、削剥片３１の枚数も、必要に応じて適宜増減することが可能である。
【００２８】
また、削剥部３を、上記仮想円Ｑの円周に亘って形成することも可能である。
また、削剥部３は、図１２（ａ）（ｂ）に示す如く、円周壁３２を有することなく削剥片３１どうしを上記仮想円Ｑの中心で連結する構成とする場合であっても、本実施形態と同様の作用効果を奏する。また、かかる削剥部３によれば、貫通孔Ｈの口径によらず当該貫通孔Ｈの開口縁部Ｅを面取り形成することが可能である。
また、把持部４の形状は、上記仮想円Ｑを中心とする円弧状に形成する（図１３参照）等、適宜形状を選択することが可能である。
また、ベース２の形状も、円形やリング状等、適宜形状を選択することが可能である（図１３参照）。
【００２９】
また、上記実施形態においては、貫通孔ＨにスリーブＳを設けた後に当該貫通孔Ｈの開口縁部Ｅを面取り形成することとしているが、スリーブＳを設ける前に当該外壁の貫通孔Ｈの開口縁部Ｅを面取り形成することももちろん可能である。
【図面の簡単な説明】
【００３０】
【図１】本発明に係る面取り工具の平面図である。
【図２】該面取り工具の右側面図である。
【図３】該面取り工具の上側面図である。
【図４】（ａ）は該面取り工具による面取り工程の第１工程の側断面図であって、（ｂ）は当該第１工程の平面図である。
【図５】（ａ）は該面取り工具による面取り工程の第２工程の側断面図であって、（ｂ）は当該第２工程の平面図である。
【図６】（ａ）は該面取り工具による面取り工程の第３工程の側断面図であって、（ｂ）は当該第３工程の平面図であり、（ｃ）当該第３工程を完了させたときの断面図である。
【図７】（ａ）は該面取り工具による面取り工程の第４工程の側断面図であって、（ｂ）は当該第４工程の平面図である。
【図８】（ａ）は該面取り工具による面取り工程の第５工程の側断面図であって、（ｂ）は当該第５工程の平面図である。
【図９】（ａ）は該面取り工具による面取り工程の第６工程の側断面図であって、（ｂ）は当該第６工程の平面図である。
【図１０】（ａ）は削剥片の他の実施例の側面図であって、（ｂ）は削剥片のさらに他の実施例の側面図である。
【図１１】本発明に係る他の面取り工具の平面図である。
【図１２】（ａ）は本発明に係るさらに他の面取り工具の平面図であって、（ｂ）は該面取り工具の側面図である。
【図１３】本発明に係るさらに他の面取り工具の平面図である。
【符号の説明】
【００３１】
１  面取り工具
２  ベース
３  削剥部
４  把持部
８  ウェザーカバー
３１  剥削片
３２  円周壁
３３  削剥面
４１  取っ手
４２  持ち手部
４３  連結部
８１  カバー体
８２  筒体
８３  開口部
８４  円筒部
８５  鍔部
Ｗ  外壁パネル
Ｈ  貫通孔
Ｅ  開口縁部
【図１】
2009136970.tif 000003
【図２】
2009136970.tif 000004
【図３】
2009136970.tif 000005
【図４】
2009136970.tif 000006
【図５】
2009136970.tif 000007
【図６】
2009136970.tif 000008
【図７】
2009136970.tif 000009
【図８】
2009136970.tif 000010
【図９】
2009136970.tif 000011
【図１０】
2009136970.tif 000012
【図１１】
2009136970.tif 000013
【図１２】
2009136970.tif 000014
【図１３】
2009136970.tif 000015